(57)【要約】【課題】複数の画像表示装置を一括して操作することが容易な画像表示装置及び画像表示システムを提供する。【解決手段】電源をオンにするための指示を受けた場合、即ち操作パネルの電源オンキーが操作されるか、或いは、リモコン通信部の受信部が電源をオンにするためのリモコン信号（電源オン信号）を受信した場合には、制御部は、電源回路に指示をして、各部への動作電力の供給を開始させ、プロジェクターを電源オン状態に移行させる。その後、制御部は、リモコン通信部の送信部から、電源オン信号を送信する。つまり、制御部は、リモコンの電源オンキーが操作された場合に送信されるリモコン信号と同一のリモコン信号を送信部から送信する。そして、制御部は、この電源オン信号を、所定の待機時間を隔てて複数回送信し、画像表示システムを構成する他のプロジェクターに受信させる。【選択図】図８
2011133602.tif 000002
【特許請求の範囲】
【請求項１】
画像を表示する画像表示装置であって、
外部から送信されたリモコン信号を受信する受信部と、
前記受信部が前記リモコン信号を受信した場合に、前記リモコン信号に基づく所定の処理を当該画像表示装置に行わせる制御部と、
前記受信部が前記リモコン信号を受信した場合に、他の画像表示装置に前記所定の処理を行わせるためのリモコン信号を送信する送信部と、
を備えたことを特徴とする画像表示装置。
【請求項２】
請求項１に記載の画像表示装置であって、
前記受信部が受信する前記リモコン信号及び前記送信部が送信する前記リモコン信号は、前記画像表示装置の電源状態を制御するためのリモコン信号であることを特徴とする画像表示装置。
【請求項３】
請求項２に記載の画像表示装置であって、
前記受信部が受信した前記リモコン信号が、前記電源状態のオンとオフとをトグル状に切り替えるリモコン信号である場合には、
前記制御部は、前記電源状態のオンとオフとを切り替える処理を行わせ、
前記送信部は、当該画像表示装置の電源状態に基づいて、前記電源状態をオンにするためのリモコン信号、及び前記電源状態をオフにするためのリモコン信号のいずれか一方を送信することを特徴とする画像表示装置。
【請求項４】
請求項１〜３のいずれか一項に記載の画像表示装置であって、
光源と、
前記光源から射出された光を変調して前記画像を形成する光変調装置と、
前記光変調装置で形成された前記画像を投写する投写光学系と、
をさらに備え、
前記送信部は、前記投写光学系から前記画像が投写される方向に前記リモコン信号を送信することを特徴とする画像表示装置。
【請求項５】
請求項４に記載の画像表示装置であって、
前記送信部は、前記投写光学系から前記画像が投写される投写範囲よりも広い範囲に向けて前記リモコン信号を送信し、
前記受信部は、前記投写範囲よりも広い範囲から送信される前記リモコン信号を受信可能であることを特徴とする画像表示装置。
【請求項６】
請求項１〜５のいずれか一項に記載の画像表示装置であって、
入力操作を受け付ける入力操作部をさらに備え、
前記送信部は、前記入力操作部が前記入力操作を受け付けた場合には、前記入力操作に対応するリモコン信号を送信することを特徴とする画像表示装置。
【請求項７】
請求項１〜５のいずれか一項に記載の画像表示装置であって、
当該画像表示装置の本体に対して着脱可能に構成されたリモコンをさらに備え、
前記リモコンは、前記本体に装着された状態では、前記送信部として機能して前記リモコン信号を送信することを特徴とする画像表示装置。
【請求項８】
請求項１〜７のいずれか一項に記載の画像表示装置を複数備えたことを特徴とする画像表示システム。
【発明の詳細な説明】
【技術分野】
【０００１】
本発明は、画像表示装置及び画像表示システムに関する。
【背景技術】
【０００２】
複数の画像表示装置を所定の空間内で利用する場合において、これら複数の画像表示装置が、共通のリモコンで操作可能な構成であれば、１つのリモコンで複数の画像表示装置の遠隔操作が可能となり、利便性が向上する。ところが、上記のような構成では、複数の画像表示装置を同時に遠隔操作したい場合でも、各画像表示装置の配置やリモコンを操作する位置によっては、一部の画像表示装置においてリモコン信号を受信できない場合が生じ得る。
【０００３】
そこで、特許文献１に示す投写型画像表示装置（プロジェクター）のように、複数の画像表示装置をケーブルで接続し、１つの画像表示装置が受信したリモコン信号を、ケーブルを介して他の画像表示装置に伝達する構成とすれば、１つの画像表示装置にリモコン信号を受信させるだけで、すべての画像表示装置を遠隔操作することができる。
【先行技術文献】
【特許文献】
【０００４】
【特許文献１】特開２０００−３３０２０１号公報
【発明の概要】
【発明が解決しようとする課題】
【０００５】
しかしながら、特許文献１に記載の画像表示装置では、ケーブルを介した通信を行うためのインターフェイスが必要となるため、回路構成が複雑になってしまううえ、ケーブルを接続する作業が必要となるため、事前の準備が煩雑になってしまうという問題を有している。また、画像表示装置同士がケーブルで接続されるため、各画像表示装置の配置（レイアウト）に制限が加わったり、部屋の美観を損ねたりしてしまう恐れがある。
【課題を解決するための手段】
【０００６】
本発明は、上述の課題の少なくとも一部を解決するためになされたものであり、以下の形態又は適用例として実現することが可能である。
【０００７】
［適用例１］本適用例に係る画像表示装置は、画像を表示する画像表示装置であって、外部から送信されたリモコン信号を受信する受信部と、前記受信部が前記リモコン信号を受信した場合に、前記リモコン信号に基づく所定の処理を当該画像表示装置に行わせる制御部と、前記受信部が前記リモコン信号を受信した場合に、他の画像表示装置に前記所定の処理を行わせるためのリモコン信号を送信する送信部と、を備えたことを特徴とする。
【０００８】
この画像表示装置によれば、受信部がリモコン信号を受信した場合に、制御部は、このリモコン信号に基づく所定の処理を当該画像表示装置に行わせ、送信部は、他の画像表示装置にもこの処理を行わせるために、リモコン信号を送信（再送信）する。このため、複数の画像表示装置が配置されている状況において、リモコン信号が一部の画像表示装置にのみ受信された場合であっても、このリモコン信号を受信した画像表示装置からの再送信により、他の画像表示装置にも受信されやすくなる。このため、複数の画像表示装置を一括して操作することが容易になる。なお、受信部が受信するリモコン信号と、送信部が送信するリモコン信号とは、全く同一の信号であってもよいが、同一の処理を行わせるためのリモコン信号であれば、異なる信号であってもよい。
【０００９】
［適用例２］上記適用例に係る画像表示装置において、前記受信部が受信する前記リモコン信号及び前記送信部が送信する前記リモコン信号は、前記画像表示装置の電源状態を制御するためのリモコン信号であることが望ましい。
【００１０】
この画像表示装置によれば、複数の画像表示装置が配置されている状況において、これら複数の画像表示装置の電源状態（オン又はオフの状態）を揃えることが容易になる。
【００１１】
［適用例３］上記適用例に係る画像表示装置において、前記受信部が受信した前記リモコン信号が、前記電源状態のオンとオフとをトグル状に切り替えるリモコン信号である場合には、前記制御部は、前記電源状態のオンとオフとを切り替える処理を行わせ、前記送信部は、当該画像表示装置の電源状態に基づいて、前記電源状態をオンにするためのリモコン信号、及び前記電源状態をオフにするためのリモコン信号のいずれか一方を送信することが望ましい。
【００１２】
この画像表示装置によれば、電源状態のオンとオフとをトグル状に切り替えるリモコン信号を受信部が受信した場合に、送信部は、自らの電源状態に基づいて、電源状態をオンにするためのリモコン信号、及び電源状態をオフにするためのリモコン信号のいずれか一方を送信する。このため、電源状態のオンとオフとをトグル状に切り替えるリモコン信号を複数回受信してしまうことによって電源状態が元に戻ってしまう事態が抑制され、複数の画像表示装置の電源状態を揃えることが容易になる。
【００１３】
［適用例４］上記適用例に係る画像表示装置において、光源と、前記光源から射出された光を変調して前記画像を形成する光変調装置と、前記光変調装置で形成された前記画像を投写する投写光学系と、をさらに備え、前記送信部は、前記投写光学系から前記画像が投写される方向に前記リモコン信号を送信することが望ましい。
【００１４】
この画像表示装置によれば、送信部が、画像の投写方向と同一方向にリモコン信号を送信するため、画像が投写される投写面での反射を利用して、他の画像表示装置にリモコン信号を送信することが可能となる。例えば、１つの投写面に複数の画像表示装置から画像が投写されている場合に、リモコン信号の伝達を効率的に行うことができる。
【００１５】
［適用例５］上記適用例に係る画像表示装置において、前記送信部は、前記投写光学系から前記画像が投写される投写範囲よりも広い範囲に向けて前記リモコン信号を送信し、前記受信部は、前記投写範囲よりも広い範囲から送信される前記リモコン信号を受信可能であることが望ましい。
【００１６】
この画像表示装置によれば、複数の画像表示装置から投写された画像が１つの投写面に並んで表示されるように配置されている場合において、隣り合う他の画像表示装置との間でリモコン信号の送信範囲と受信範囲とが重なり合うことになるため、投写面での反射によってすべての画像表示装置にリモコン信号を伝達することが可能となる。
【００１７】
［適用例６］上記適用例に係る画像表示装置において、入力操作を受け付ける入力操作部をさらに備え、前記送信部は、前記入力操作部が前記入力操作を受け付けた場合には、前記入力操作に対応するリモコン信号を送信することが望ましい。
【００１８】
この画像表示装置によれば、１つの画像表示装置に対して行った入力操作が、他の画像表示装置にもリモコン信号として伝達されるため、リモコンを用いることなく、複数の画像表示装置を一括して操作することが可能となる。
【００１９】
［適用例７］上記適用例に係る画像表示装置において、当該画像表示装置の本体に対して着脱可能に構成されたリモコンをさらに備え、前記リモコンは、前記本体に装着された状態では、前記送信部として機能して前記リモコン信号を送信することが望ましい。
【００２０】
この画像表示装置によれば、画像表示装置の本体に対して着脱可能に構成されたリモコンを備えており、このリモコンは、本体に装着された状態では、送信部として機能する。つまり、本体に送信部を新たに設ける必要がなくなるため、本体の構成を簡略化することが可能となる。
【００２１】
［適用例８］本適用例に係る画像表示ステムは、上記の画像表示装置を複数備えたことを特徴とする。
【００２２】
この画像表示システムによれば、上記の画像表示装置を複数備えて構成されているため、リモコン信号が一部の画像表示装置にのみ受信された場合であっても、このリモコン信号を受信した画像表示装置からの再送信により、他の画像表示装置にも受信されやすくなる。このため、複数の画像表示装置を一括して操作することが容易になる。
【図面の簡単な説明】
【００２３】
【図１】第１実施形態のプロジェクターを示す斜視図。
【図２】第１実施形態のプロジェクターを示す斜視図。
【図３】第１実施形態のプロジェクターの概略構成を示すブロック図。
【図４】第１実施形態のプロジェクターの操作パネルを示す平面図。
【図５】第１実施形態のリモコンの平面図。
【図６】第１実施形態のリモコンの概略構成を示すブロック図。
【図７】第１実施形態の画像表示システムを示す斜視図。
【図８】第１実施形態のプロジェクターが電源オフ状態から電源オン状態に移行する際の動作を説明するフローチャート。
【図９】第１実施形態のプロジェクターが電源オン状態から電源オフ状態に移行する際の動作を説明するフローチャート。
【図１０】第２実施形態のプロジェクターの操作パネルを示す平面図。
【図１１】第２実施形態のリモコンを示す平面図。
【図１２】第２実施形態のプロジェクターが電源オン状態から電源オフ状態に移行する際の動作を説明するフローチャート。
【図１３】メッセージ画像を示す説明図。
【図１４】第３実施形態のプロジェクターの概略構成を示すブロック図。
【図１５】第３実施形態のリモコンの概略構成を示すブロック図。
【図１６】変形例に係る画像表示システムを示す斜視図。
【図１７】変形例に係る画像表示システムを示す斜視図。
【図１８】変形例に係る画像表示システムを示す平面図。
【発明を実施するための形態】
【００２４】
（第１実施形態）
以下、画像表示装置であるプロジェクターの第１実施形態について、図面を参照して説明する。
図１及び図２は、本実施形態のプロジェクターを示す斜視図である。
図１及び図２に示すように、プロジェクター１は、装置本体を収容する筐体２を備えて構成されており、筐体２の上面２ｔには、ユーザーにより入力操作が行われる操作パネル２７が配置されている。筐体２の前面２ｆには、投写レンズ１３を露出させるための開口部３が形成されており、この投写レンズ１３から前方に向けて画像が投写される。
【００２５】
また、筐体２の前面２ｆには、リモコン通信部２８が備えられている。プロジェクター１は、リモコン４０等による遠隔操作が可能になっており、リモコン通信部２８は、リモコン４０等から送信されるリモコン信号を受信する。さらに、リモコン通信部２８は、他のプロジェクター１に対してリモコン信号を送信することも可能になっている。
【００２６】
図２に示すように、プロジェクター１は、スクリーンや壁面等の投写面Ｓと対峙するように設置され、投写レンズ１３から投写面Ｓに画像Ｐを投写する。また、リモコン通信部２８は、前方、即ち画像Ｐの投写方向と同一方向に向けてリモコン信号を発するとともに、前方から到達するリモコン信号を受信することができる。ここで、リモコン通信部２８の通信範囲Ｃは、画像Ｐが投写される範囲（投写範囲）よりも上下左右に広い範囲に設定されている。言い替えれば、リモコン通信部２８の通信範囲Ｃは、投写レンズ１３の投写範囲を包含するように設定されている。つまり、リモコン信号を送信する際には、リモコン通信部２８は、通信範囲Ｃの全域に向けてリモコン信号を送信する。また、リモコン通信部２８は、この通信範囲Ｃから到達するリモコン信号を受信することができる。
【００２７】
図３は、プロジェクター１の概略構成を示すブロック図であり、図４は、プロジェクター１の操作パネル２７を示す平面図である。
図３に示すように、プロジェクター１は、画像投写部１０、制御部２０、記憶部２１、画像情報入力部２２、画像処理部２３、ＯＳＤ処理部２４、電源回路２５、光源制御部２６、操作パネル２７、リモコン通信部２８等を備えており、このうち、制御部２０、記憶部２１、画像処理部２３、ＯＳＤ処理部２４、電源回路２５、光源制御部２６、操作パネル２７、リモコン通信部２８は、バス２９を介して互いに接続されている。
【００２８】
画像投写部１０は、光源としての光源装置１１、光変調装置としての３つの液晶ライトバルブ１２Ｒ，１２Ｇ，１２Ｂ、投写光学系としての投写レンズ１３、ライトバルブ駆動部１４等で構成されている。画像投写部１０は、表示部に相当するものであり、光源装置１１から射出された光を、液晶ライトバルブ１２Ｒ，１２Ｇ，１２Ｂで変調して画像を形成し、この画像を投写レンズ１３から投写して投写面Ｓに表示する。
【００２９】
光源装置１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。光源装置１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００３０】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリクス状に配列された複数の画素が形成されており、液晶に対して画素毎に駆動電圧を印加可能になっている。ライトバルブ駆動部１４が、入力される画像情報に応じた駆動電圧を各画素に印加すると、各画素は、画像情報に応じた光透過率に設定される。このため、光源装置１１から射出された光は、この液晶ライトバルブ１２Ｒ，１２Ｇ，１２Ｂを透過することによって変調され、画像情報に応じた画像が色光毎に形成される。形成された各色の画像は、図示しない色合成光学系によって画素毎に合成されてカラー画像となった後、投写レンズ１３によって拡大投写される。
【００３１】
制御部２０は、ＣＰＵ（Central Processing Unit）や、各種データ等の一時記憶に用いられるＲＡＭ（Random Access Memory）等を備え、記憶部２１に記憶されている制御プログラムに従って動作することによりプロジェクター１の動作を制御する。つまり、制御部２０は、記憶部２１とともにコンピューターとして機能する。
【００３２】
記憶部２１は、フラッシュメモリーや、マスクＲＯＭ（Read Only Memory）、ＦｅＲＡＭ（Ferroelectric RAM：強誘電体メモリー）等の不揮発性のメモリーにより構成されている。記憶部２１には、プロジェクター１の動作を制御するための制御プログラムや、プロジェクター１の動作条件等を規定する各種設定データ等が記憶されている。
【００３３】
画像情報入力部２２には、ビデオ再生装置やパーソナルコンピューター等、図示しない外部の画像供給装置から各種形式の画像情報が入力される。画像情報入力部２２は、入力された画像情報を画像処理部２３に出力する。
【００３４】
画像処理部２３は、画像情報入力部２２から入力される各種形式の画像情報を、液晶ライトバルブ１２Ｒ，１２Ｇ，１２Ｂの各画素の階調を表す画像情報、即ち各画素に印加する駆動電圧を規定するための画像情報に変換する。さらに、画像処理部２３は、制御部２０の指示に基づいて、変換した画像情報に対して、明るさ、コントラスト、シャープネス、色合い等を調整するための画質調整処理等を行い、処理後の画像情報をＯＳＤ処理部２４に出力する。
【００３５】
ＯＳＤ処理部２４は、制御部２０の指示に基づいて、画像情報入力部２２に入力された画像情報に基づく画像Ｐ上に、メニュー画像やメッセージ画像等のＯＳＤ（オンスクリーンディスプレイ）画像を重畳するための処理を行う。ＯＳＤ処理部２４は、図示しないＯＳＤメモリーを備えており、ＯＳＤ画像を形成するための図形やフォント等を表すＯＳＤ画像情報を記憶している。制御部２０が、ＯＳＤ画像の重畳を指示すると、ＯＳＤ処理部２４は、必要なＯＳＤ画像情報をＯＳＤメモリーから読み出し、画像Ｐ上の所定の位置にＯＳＤ画像が重畳されるように、画像処理部２３から入力される画像情報にこのＯＳＤ画像情報を合成する。ＯＳＤ画像情報が合成された画像情報は、ライトバルブ駆動部１４に出力される。なお、制御部２０からＯＳＤ画像を重畳する旨の指示がない場合には、ＯＳＤ処理部２４は、画像処理部２３から入力される画像情報を、そのままライトバルブ駆動部１４に出力する。
【００３６】
ライトバルブ駆動部１４が、入力される画像情報に従って液晶ライトバルブ１２Ｒ，１２Ｇ，１２Ｂを駆動すると、液晶ライトバルブ１２Ｒ，１２Ｇ，１２Ｂは、画像情報に応じた画像を形成し、この画像が投写レンズ１３から投写される。
【００３７】
電源回路２５には、外部からＡＣ１００Ｖ等の商用電源が供給される。電源回路２５は、商用電源（交流電源）を所定の電圧の直流電源に変換して、プロジェクター１の各部に電力を供給する（供給経路については図示せず）。また、電源回路２５は、制御部２０の指示に基づいて、プロジェクター１の電源（電源状態）のオンとオフとを切り替えることができる。具体的には、電源回路２５は、画像の投写に必要な電力（動作電力）を各部に供給する状態（以降、「電源オン状態」とも呼ぶ。）と、動作電力の供給を停止して、電源をオンにするための操作を待機する状態（以降、「電源オフ状態」又は「スタンバイ状態」とも呼ぶ。）とを切り替えることができる。
【００３８】
光源制御部２６は、制御部２０の指示に基づいて、光源装置１１に対する電力の供給と停止とを制御し、光源装置１１の点灯及び消灯を切り替える。
【００３９】
操作パネル２７は、ユーザーからの入力操作を受け付ける入力操作部に相当するものであり、ユーザーがプロジェクター１に対して各種指示を行うための複数の操作キーを備えている。図４に示すように、本実施形態の操作パネル２７には、電源をオンにするための電源オンキー２７ａ、電源をオフにするための電源オフキー２７ｂ、各種設定を行うためのメニュー画像を重畳表示させるメニューキー２７ｃ、メニュー画像上での項目の選択等に用いられる方向キー（上下左右に対応する４つの操作キー）２７ｄ、メニュー画像において選択された項目を決定するための決定キー２７ｅ、メニュー画像が表示された状態において操作の取り消し等を行うための取消キー２７ｆ等の操作キーが含まれている。ユーザーが操作パネル２７の各種操作キーを操作すると、操作パネル２７は、操作された操作キーに応じた制御信号を制御部２０に出力する。そして、制御部２０は、操作パネル２７から制御信号が入力されると、プロジェクター１の動作を制御して、この制御信号に基づく処理を行わせる。
【００４０】
リモコン通信部２８は、受信部２８Ｒと、送信部２８Ｔとを含んで構成されている。受信部２８Ｒは、リモコン４０又は他のプロジェクター１から赤外線の点滅信号として送信されるリモコン信号を受信して制御部２０に伝達するものであり、受光装置やデコーダー（いずれも図示せず）等で構成されている。受信部２８Ｒは、リモコン４０又は他のプロジェクター１から送信されるリモコン信号を受光装置によって受光し、これを電気信号に変換する。そして、デコーダーによって復調した後、制御信号として制御部２０に出力する。制御部２０は、受信部２８Ｒから制御信号が入力されると、プロジェクター１の動作を制御して、この制御信号に基づく処理を行わせる。
【００４１】
送信部２８Ｔは、他のプロジェクター１に対してリモコン信号を送信するものであり、赤外線通信用のエンコーダーや赤外線発光装置（いずれも図示せず）等で構成されている。送信部２８Ｔは、制御部２０から入力される制御信号（電気信号）をエンコーダーで変調し、赤外線発光装置により赤外線の点滅信号（リモコン信号）として外部に送信する。
【００４２】
次に、プロジェクター１を遠隔操作するためのリモコン４０について説明する。
図５は、本実施形態のリモコン４０の平面図であり、図６は、リモコン４０の概略構成を示すブロック図である。
図５に示すように、リモコン４０は、筐体４１で覆われた構成を有しており、その表面には、ユーザーの入力操作を受け付ける複数の操作キーが配列されている。リモコン４０には、電源オンキー４０ａ、電源オフキー４０ｂ等、操作パネル２７に備わる操作キーと同一の指示を行うための操作キーが含まれているとともに、リモコン４０にのみ備わる操作キーも含まれている。
【００４３】
図６に示すように、リモコン４０は、制御部５０、記憶部５１、入力検出部５２、送信部５３を筐体４１の内部に備えている。
【００４４】
制御部５０は、ＣＰＵ等からなり、記憶部５１に記憶されている制御プログラムに従って動作することによりリモコン４０の動作を制御する。記憶部５１は、ＲＯＭ又はＲＡＭにより構成され、リモコン４０の動作を制御するための制御プログラムや各種データ等を記憶する。
【００４５】
入力検出部５２は、各操作キーが操作（押下）されたことを検出して、操作された操作キーに対応する検出信号を制御部５０に出力する。制御部５０は、入力検出部５２から検出信号が入力されると、この検出信号に基づいて、操作された操作キーに対応する制御信号を生成して送信部５３に出力する。
【００４６】
送信部５３は、赤外線通信用のエンコーダーや赤外線発光装置（いずれも図示せず）等で構成され、制御部５０から入力される制御信号をエンコーダーで変調し、赤外線発光装置により赤外線の点滅信号（リモコン信号）として外部に送信する。
【００４７】
リモコン４０は、上記のように構成されているため、ユーザーが操作キーを操作すると、この操作キーに対応するリモコン信号が送信部５３から送信される。例えば、ユーザーが電源オンキー４０ａを操作した場合には、プロジェクター１の電源をオンにするためのリモコン信号（以降、「電源オン信号」とも呼ぶ。）が送信部５３から送信される。また、ユーザーが電源オフキー４０ｂを操作した場合には、プロジェクター１の電源をオフにするためのリモコン信号（以降、「電源オフ信号」とも呼ぶ。）が送信部５３から送信される。
【００４８】
図７は、複数のプロジェクター１とリモコン４０とを備えて構成される画像表示システム１００を示す斜視図である。
図７に示すように、画像表示システム１００は、複数のプロジェクター１から投写される画像Ｐを並べて１つの大きな画像を表示するシステムであり、本実施形態では、左右方向に並べられた３つのプロジェクター１（プロジェクター１ａ，１ｂ，１ｃ）を備えている。各プロジェクター１は、同一方向に画像Ｐ（画像Ｐａ，Ｐｂ，Ｐｃ）を投写するとともに、それぞれから投写される画像Ｐ（画像Ｐａ，Ｐｂ，Ｐｃ）が左右方向に連結されるように配列されている。なお、図示は省略しているが、各プロジェクター１から投写される画像Ｐの境界に隙間が生じることを防ぐために、隣り合う画像Ｐ同士が僅かに重畳するように各プロジェクター１を配置することが望ましい。また、この場合には、重畳させることを加味した画像Ｐを投写することが望ましい。
【００４９】
また、上述したように、リモコン通信部２８の通信範囲Ｃ（通信範囲Ｃａ，Ｃｂ，Ｃｃ）は、投写範囲（画像Ｐ）よりも上下左右に広い範囲に設定されているため、３つのプロジェクター１から投写される画像Ｐを連結させた状態では、隣り合うプロジェクター１の通信範囲Ｃは部分的に重なり合う。このため、隣り合うプロジェクター１同士は、投写面Ｓ等での反射を利用して、リモコン信号の送受信を行うことができる。具体的には、投写面Ｓに向かって最も左側に配置されたプロジェクター１ａの通信範囲Ｃａは、中央に配置されたプロジェクター１ｂの通信範囲Ｃｂと部分的に重なり合っており、投写面Ｓに向かって最も右側に配置されたプロジェクター１ｃの通信範囲Ｃｃも、中央に配置されたプロジェクター１ｂの通信範囲Ｃｂと部分的に重なり合っている。このため、プロジェクター１ｂは、プロジェクター１ａから送信されるリモコン信号と、プロジェクター１ｃから送信されるリモコン信号の双方を受信することができる。同様に、プロジェクター１ａ及びプロジェクター１ｃは、プロジェクター１ｂから送信されるリモコン信号を受信することができる。但し、本実施形態では、プロジェクター１ａとプロジェクター１ｃの通信範囲は、重なり合っていないため、プロジェクター１ａ及びプロジェクター１ｃは、リモコン信号の送受信を直接行うことはできない。
【００５０】
次に、プロジェクター１の動作について説明する。
プロジェクター１に商用電源が供給されると、電源回路２５は、制御部２０、記憶部２１、操作パネル２７、及びリモコン通信部２８に電力（スタンバイ電力）の供給を行い、制御部２０は、この電力供給を受けて、制御プログラムに従った動作を開始する。商用電源が供給された直後には、プロジェクター１は、電源オフ状態（スタンバイ状態）であり、光源装置１１を消灯させた状態で、電源をオンにするための指示（例えば、操作パネル２７やリモコン４０に備わる電源オンキー２７ａ，４０ａの操作）を待機する。
【００５１】
図８は、本実施形態のプロジェクター１が電源オフ状態から電源オン状態に移行する際の動作を説明するフローチャートである。
【００５２】
図８に示すように、まず、ステップＳ１０１では、プロジェクター１の制御部２０は、電源をオンにするための指示を受けたか否かを判断する。そして、指示を受けた場合、即ち操作パネル２７の電源オンキー２７ａが操作されるか、或いは、リモコン通信部２８の受信部２８Ｒが電源をオンにするためのリモコン信号（電源オン信号）を受信した場合にはステップＳ１０２に移行する。一方、電源をオンにするための指示を受けていない場合には、制御部２０は、指示を受けるまで本ステップを繰り返す。
【００５３】
電源をオンにするための指示を受けてステップＳ１０２に移行すると、制御部２０は、この指示に応じて、電源回路２５に電源をオンにするための処理を行わせる。具体的には、制御部２０は、電源回路２５に指示をして、各部への動作電力の供給を開始させ、プロジェクター１を電源オン状態に移行させる。そして、ステップＳ１０３では、制御部２０は、光源制御部２６に指示をして光源装置１１を点灯させ、画像Ｐの投写が可能な状態とする。
【００５４】
ステップＳ１０４では、制御部２０は、リモコン信号による遠隔操作を無効にする。具体的には、これ以降、リモコン通信部２８の受信部２８Ｒがリモコン信号を受信した場合でも、制御部２０は、受信したリモコン信号を無視し、このリモコン信号に基づいた制御を行わないようにする。
【００５５】
ステップＳ１０５では、制御部２０は、リモコン通信部２８の送信部２８Ｔから、電源オン信号を送信する。つまり、制御部２０は、リモコン４０の電源オンキー４０ａが操作された場合に送信されるリモコン信号と同一のリモコン信号を送信部２８Ｔから送信する。そして、制御部２０は、この電源オン信号を、所定の待機時間を隔てて複数回送信し、画像表示システム１００を構成する他のプロジェクター１に受信させる。
【００５６】
ステップＳ１０６では、制御部２０は、リモコン信号による遠隔操作を有効に戻して、フローを終了する。なお、ステップＳ１０４でリモコン信号による遠隔操作を無効にしたのは、ステップＳ１０５で送信部２８Ｔから繰り返し送信する電源オン信号を、自己の受信部２８Ｒで受信して無駄な制御をしてしまうことを防ぐためである。
【００５７】
本実施形態のプロジェクター１は、上記のように動作するため、ユーザーが操作パネル２７の電源オンキー２７ａ、又はリモコン４０の電源オンキー４０ａを操作していずれか１つのプロジェクター１を電源オン状態にすれば、このプロジェクター１が電源をオンにするためのリモコン信号（電源オン信号）を送信部２８Ｔから送信するため、他のプロジェクター１をも連鎖的に電源オン状態にすることができる。
【００５８】
例えば、リモコン４０の電源オンキー４０ａの操作により、リモコン４０から送信された電源オン信号が、１つのプロジェクター１ａのみに受信された場合には、まず、このプロジェクター１ａが図８のフローに従って動作する。つまり、プロジェクター１ａは、電源オン状態に移行して、受信したリモコン信号、即ち電源オン信号を送信部２８Ｔから送信する。プロジェクター１ａから送信されたこの電源オン信号は、隣り合うプロジェクター１ｂに受信される。その結果、今度は、プロジェクター１ｂが図８のフローに従って動作し、電源オン状態に移行して、電源オン信号を送信部２８Ｔから送信する。プロジェクター１ｂから送信されたこの電源オン信号は、隣り合うプロジェクター１ｃに受信される。同様に、今度は、プロジェクター１ｃが図８のフローに従って動作し、電源オン状態に移行して、電源オン信号を送信部２８Ｔから送信する。なお、プロジェクター１ｃから送信されるこの電源オン信号は、再び隣り合うプロジェクター１ｂに受信されることになるが、プロジェクター１ｂは、既に電源オン状態にあるため、電源状態は変化しない。
【００５９】
また、リモコン４０の電源オンキー４０ａの操作により、リモコン４０から送信された電源オン信号が１つのプロジェクター１ｂのみに受信された場合には、まず、プロジェクター１ｂが図８のフローに従って動作する。つまり、プロジェクター１ｂは、電源オン状態に移行して、受信したリモコン信号、即ち電源オン信号を送信部２８Ｔから送信する。プロジェクター１ｂから送信されたこの電源オン信号は、隣り合う２つのプロジェクター１ａ，１ｃに受信される。その結果、今度は、プロジェクター１ａ，１ｃの双方が図８のフローに従って動作し、電源オン状態に移行する。
【００６０】
図９は、本実施形態のプロジェクター１が電源オン状態から電源オフ状態に移行する際の動作を説明するフローチャートである。
【００６１】
図９に示すように、まず、ステップＳ１１１では、プロジェクター１の制御部２０は、電源をオフにするための指示を受けたか否かを判断する。そして、指示を受けた場合、即ち操作パネル２７の電源オフキー２７ｂが操作されるか、或いは、電源をオフにするためのリモコン信号（電源オフ信号）を受信部２８Ｒが受信した場合にはステップＳ１１２に移行する。一方、電源をオフにするための指示を受けていない場合には、制御部２０は、指示を受けるまで本ステップを繰り返す。
【００６２】
電源をオフにするための指示を受けてステップＳ１１２に移行すると、制御部２０は、光源制御部２６に指示をして光源装置１１を消灯させ、画像Ｐの投写を停止させる。
【００６３】
ステップＳ１１３では、制御部２０は、リモコン信号による遠隔操作を無効にし、続くステップＳ１１４では、制御部２０は、リモコン通信部２８の送信部２８Ｔから、電源オフ信号を送信する。つまり、制御部２０は、リモコン４０の電源オフキー４０ｂが操作された場合に送信されるリモコン信号と同一のリモコン信号を送信部２８Ｔから送信する。そして、制御部２０は、この電源オフ信号を、所定の待機時間を隔てて複数回送信し、画像表示システム１００を構成する他のプロジェクター１に受信させる。
【００６４】
ステップＳ１１５では、制御部２０は、リモコン信号による遠隔操作を有効に戻す。そして、ステップＳ１１６では、制御部２０は、電源回路２５に電源をオフにするための処理を行わせて、フローを終了する。具体的には、制御部２０は、電源回路２５に指示をして、各部への動作電力の供給を停止させ、プロジェクター１を電源オフ状態に移行させる。
【００６５】
本実施形態のプロジェクター１は、上記のように動作するため、ユーザーが操作パネル２７の電源オフキー２７ｂ、又はリモコン４０の電源オフキー４０ｂを操作していずれか１つのプロジェクター１を電源オフ状態にすれば、このプロジェクター１が電源をオフにするためのリモコン信号（電源オフ信号）を送信部２８Ｔから送信するため、他のプロジェクター１をも連鎖的に電源オフ状態にすることができる。
【００６６】
以上説明したように、本実施形態の画像表示システム１００及びプロジェクター１によれば、以下の効果を得ることができる。
【００６７】
（１）本実施形態のプロジェクター１によれば、電源状態を制御するためのリモコン信号、即ち電源をオン又はオフにするためのリモコン信号を受信部２８Ｒが受信した場合に、制御部２０は、このリモコン信号に基づいて、プロジェクター１の電源状態を切り替え、送信部２８Ｔは、受信したリモコン信号と同一のリモコン信号を外部に送信（再送信）する。このため、複数のプロジェクター１が配置された画像表示システム１００において、リモコン信号が一部のプロジェクター１にのみ受信された場合であっても、このリモコン信号を受信したプロジェクター１からの再送信により、他のプロジェクター１にも受信されやすくなる。このため、複数のプロジェクター１の電源状態を揃えることが容易になる。また、本実施形態では、プロジェクター１間の通信が赤外線によるリモコン信号で行われるため、プロジェクター１同士をケーブルで接続する必要もない。
【００６８】
（２）本実施形態のプロジェクター１によれば、送信部２８Ｔが、画像Ｐの投写方向と同一方向にリモコン信号を送信するため、画像Ｐが投写される投写面Ｓ等での反射を利用して、他のプロジェクター１にリモコン信号を送信することが可能となり、リモコン信号の伝達を効率的に行うことができる。
【００６９】
（３）本実施形態のプロジェクター１によれば、送信部２８Ｔは、投写範囲よりも広い範囲に向けてリモコン信号を送信し、受信部２８Ｒは、投写範囲よりも広い範囲から送信されるリモコン信号を受信可能になっている。このため、複数のプロジェクター１から投写された画像が１つの投写面Ｓに並んで表示される画像表示システム１００では、隣り合う他のプロジェクター１との間でリモコン信号の送受信範囲（通信範囲Ｃ）が重なり合うことになる。この結果、投写面Ｓ等での反射によってすべてのプロジェクター１にリモコン信号を伝達することが可能となる。
【００７０】
（４）本実施形態のプロジェクター１によれば、操作パネル２７の電源オンキー２７ａ又は電源オフキー２７ｂが操作された場合にも、それぞれに対応するリモコン信号、即ち電源オン信号又は電源オフ信号を送信部２８Ｔから送信するようにしているため、リモコン４０を用いることなく、複数のプロジェクター１の電源状態を揃えることが可能となる。
【００７１】
（５）本実施形態のプロジェクター１によれば、送信部２８Ｔからリモコン信号を送信する際に、所定の待機時間を隔てて複数回送信するようにしているため、例えば、外来のノイズや障害物等によって一時的に通信異常が生じた場合でも、正常な通信を行うことが可能となる。
【００７２】
（第２実施形態）
以下、第２実施形態のプロジェクターについて、図面を参照して説明する。
図１０は、本実施形態のプロジェクター１の操作パネル２７を示す平面図であり、図１１は、本実施形態のプロジェクター１を遠隔操作するためのリモコン４０を示す平面図である。
【００７３】
第１実施形態では、電源をオンにするための操作キー（電源オンキー２７ａ，４０ａ）と、電源をオフにするための操作キー（電源オフキー２７ｂ，４０ｂ）とが別々に備わっていたが、図１０及び図１１に示すように、本実施形態の操作パネル２７及びリモコン４０には、それぞれ１つの電源キー２７ｇ，４０ｇが備わっている。ユーザーは、この電源キー２７ｇ，４０ｇを操作することによって電源オン状態と電源オフ状態とをトグル状に切り替えることが可能であり、リモコン４０の電源キー４０ｇを操作した場合には、リモコン４０は、電源のオンとオフとを切り替えるためのリモコン信号（以降、「電源切替信号」とも呼ぶ。）を送信する。
【００７４】
そして、電源切替信号を受信したプロジェクター１、又は操作パネル２７の電源キー２７ｇの操作を受け付けたプロジェクター１は、それまでの電源状態が電源オフ状態であれば、電源オン状態に移行し、それまでの電源状態が電源オン状態であれば、電源オフ状態に移行する。また、プロジェクター１は、第１実施形態と同様、電源オフ状態から電源オン状態に移行する際には、電源オン信号を送信部２８Ｔから送信し、電源オン状態から電源オフ状態に移行する際には、電源オフ信号を送信部２８Ｔから送信する。このように、送信部２８Ｔから送信されるリモコン信号が、電源オン信号又は電源オフ信号である点は、第１実施形態と同様であるが、リモコン４０から送信されるリモコン信号が、電源切替信号である点については、第１実施形態と異なっている。
上記以外の構成については、第１実施形態と同一である。
【００７５】
本実施形態のプロジェクター１が電源オフ状態である場合には、プロジェクター１は、第１実施形態と同一のフロー（図８参照）に従って電源オン状態に移行する。
【００７６】
つまり、図８に示すように、ステップＳ１０１では、プロジェクター１の制御部２０は、電源をオンにするための指示を受けたか否かを判断する。そして、指示を受けた場合、即ち操作パネル２７の電源キー２７ｇが操作されるか、又はリモコン４０から送信された電源切替信号を受信部２８Ｒが受信するか、或いは他のプロジェクター１から送信された電源オン信号を受信部２８Ｒが受信した場合にはステップＳ１０２に移行する。一方、電源をオンにするための指示を受けていない場合には、制御部２０は、指示を受けるまで本ステップを繰り返す。
【００７７】
電源をオンにするための指示を受けてステップＳ１０２に移行すると、制御部２０は、電源回路２５に指示をして、各部への動作電力の供給を開始させ、プロジェクター１を電源オン状態に移行させる。そして、ステップＳ１０３では、制御部２０は、光源制御部２６に指示をして光源装置１１を点灯させ、画像Ｐの投写が可能な状態とする。
【００７８】
ステップＳ１０４では、制御部２０は、リモコン信号による遠隔操作を無効にし、続くステップＳ１０５では、制御部２０は、リモコン通信部２８の送信部２８Ｔから電源オン信号を送信する。そして、制御部２０は、この電源オン信号を、所定の待機時間を隔てて複数回送信し、画像表示システム１００を構成する他のプロジェクター１に受信させる。
【００７９】
ステップＳ１０６では、制御部２０は、リモコン信号による遠隔操作を有効に戻して、フローを終了する。
【００８０】
図１２は、本実施形態のプロジェクター１が電源オン状態から電源オフ状態に移行する際の動作を説明するフローチャートである。本実施形態のプロジェクター１が電源オン状態である場合には、プロジェクター１は、図１２に示すフローに従って電源オフ状態に移行する。なお、本実施形態では、電源オン状態において、ユーザーが誤って電源キー２７ｇ，４０ｇを操作してしまった場合を想定し、電源オフ状態に移行する前に確認メッセージを表示するようにしている。
【００８１】
図１２に示すように、まず、ステップＳ２１１では、プロジェクター１の制御部２０は、操作パネル２７又はリモコン４０に備わる電源キー２７ｇ，４０ｇの操作がなされたか否かを判断する。そして、電源キー２７ｇ，４０ｇが操作された場合、即ち操作パネル２７の電源キー２７ｇが操作されるか、或いはリモコン４０の電源キー４０ｇの操作によって送信される電源切替信号を受信部２８Ｒが受信した場合にはステップＳ２１３に移行する。一方、電源キー２７ｇ，４０ｇが操作されていない場合にはステップＳ２１２に移行する。
【００８２】
ステップＳ２１２に移行すると、制御部２０は、他のプロジェクター１から送信された電源オフ信号を受信部２８Ｒが受信したか否かを判断する。そして、この電源オフ信号を受信した場合にはステップＳ２１７に移行し、受信していない場合にはステップＳ２１１に戻る。
【００８３】
ステップＳ２１１において電源キー２７ｇ，４０ｇが操作されてステップＳ２１３に移行した場合には、制御部２０は、ＯＳＤ処理部２４に指示をして、電源オフ状態への移行を確認するためのメッセージ画像Ｍｃ（図１３参照）を画像Ｐ上に重畳表示させる。図１３に示すように、メッセージ画像Ｍｃには、電源オフ状態に移行するか、即ち電源をオフにするかを確認するための確認メッセージ（「電源をオフにしますか？」）とともに、確認メッセージに対する応答方法（「はい」の場合には、電源キー２７ｇ，４０ｇを操作し、「いいえ」の場合には、他の操作キーを操作すること）が表記されている。
【００８４】
ステップＳ２１４では、制御部２０は、電源オフ信号を受信したか否かを再度判断する。そして、受信した場合、即ち他のプロジェクター１から送信された電源オフ信号を、メッセージ画像Ｍｃを表示している間に受信部２８Ｒが受信した場合にはステップＳ２１７に移行し、受信していない場合にはステップＳ２１５に移行する。
【００８５】
ステップＳ２１５に移行した場合には、制御部２０は、確認メッセージに対する応答として、電源キー２７ｇ，４０ｇの操作（ステップＳ２１１に続く２回目の操作）がなされたか否かを判断する。そして、電源キー２７ｇ，４０ｇが操作された場合にはステップＳ２１７に移行し、電源キー２７ｇ，４０ｇが操作されていない場合にはステップＳ２１６に移行する。
【００８６】
電源キー２７ｇ，４０ｇが操作されずにステップＳ２１６に移行した場合には、制御部２０は、電源キー２７ｇ，４０ｇ以外の他の操作キーが操作されたか否かを判断する。そして、他の操作キーが操作された場合には、ＯＳＤ処理部２４にメッセージ画像Ｍｃの表示を終了させた後で、フローを終了する。即ちステップＳ２１１での電源キー２７ｇ，４０ｇの操作はキャンセルされ、電源オン状態が維持される。一方、いずれの操作キーも操作されていない場合にはステップＳ２１４に戻る。
【００８７】
確認メッセージに対する応答として、電源キー２７ｇ，４０ｇの２回目の操作がなされるか、或いは、他のプロジェクター１から電源オフ信号を受信してステップＳ２１７に移行した場合には、制御部２０は、光源制御部２６に指示をして光源装置１１を消灯させ、画像Ｐの投写を停止させる。
【００８８】
ステップＳ２１８では、制御部２０は、リモコン信号による遠隔操作を無効にし、続くステップＳ２１９では、制御部２０は、リモコン通信部２８の送信部２８Ｔから電源オフ信号を送信する。そして、制御部２０は、この電源オフ信号を、所定の待機時間を隔てて複数回送信し、画像表示システム１００を構成する他のプロジェクター１に受信させる。
【００８９】
ステップＳ２２０では、制御部２０は、リモコン信号による遠隔操作を有効に戻す。そして、ステップＳ２２１では、制御部２０は、電源回路２５に指示をして、各部への動作電力の供給を停止させ、フローを終了する。この結果、プロジェクター１は、電源オフ状態に移行する。
【００９０】
本実施形態のプロジェクター１は、上記のように動作するため、ユーザーが操作パネル２７の電源キー２７ｇ、又はリモコン４０の電源キー４０ｇを操作していずれか１つのプロジェクター１を電源オフ状態にすれば、このプロジェクター１が電源オフ信号を送信部２８Ｔから送信するため、他のプロジェクター１をも連鎖的に電源オフ状態にすることができる。
【００９１】
以上説明したように、本実施形態のプロジェクター１によれば、第１実施形態の効果に加えて、以下の効果を得ることができる。
【００９２】
（１）本実施形態のプロジェクター１によれば、電源のオンとオフとをトグル状に切り替えるリモコン信号（電源切替信号）を受信部２８Ｒが受信した場合に、送信部２８Ｔは、自らの電源状態に基づいて、電源をオンにするためのリモコン信号（電源オン信号）、及び電源をオフにするためのリモコン信号（電源オフ信号）のいずれか一方を送信する。このため、電源切替信号を複数回受信してしまうことによって電源状態が元に戻ってしまう事態が抑制され、複数のプロジェクター１の電源状態を揃えることが容易になる。
【００９３】
（第３実施形態）
以下、第３実施形態のプロジェクターについて、図面を参照して説明する。
図１４は、本実施形態のプロジェクター１の概略構成を示すブロック図である。
図１４に示すように、本実施形態のプロジェクター１は、リモコン信号を送信する送信部２８Ｔ（図３参照）を一体的には備えておらず、その代わりに、ＵＳＢ（Universal Serial Bus）規格に基づくデータ転送を行うためのＵＳＢ通信部３０と、図示しないＵＳＢ端子を介してＵＳＢ通信部３０に接続されたリモコン６０とを備えている。そして、プロジェクター１の制御部２０は、ＵＳＢ通信部３０を経由してリモコン６０に制御信号を出力することができる。
【００９４】
図１５は、本実施形態のリモコン６０の概略構成を示すブロック図である。
図１５に示すように、リモコン６０は、第１実施形態のリモコン４０（図６参照）にＵＳＢ通信部５４を付加した構成になっている。リモコン６０は、プロジェクター１の本体に対して着脱が可能であり、このリモコン６０を、ＵＳＢ端子（図示せず）を介してプロジェクター１の本体に装着すると、プロジェクター１のＵＳＢ通信部３０とリモコン６０のＵＳＢ通信部５４とが接続され、プロジェクター１の本体から出力された制御信号がリモコン６０に入力される。リモコン６０のＵＳＢ通信部５４に制御信号が入力されると、リモコン６０の制御部５０は、入力された制御信号に基づくリモコン信号を送信部５３から送信する。また、リモコン６０をプロジェクター１の本体に装着した状態では、リモコン６０は、画像の投写方向（前方）と同一の方向に向けて、第１実施形態と同一の通信範囲Ｃ、即ち投写範囲よりも上下左右に広い通信範囲Ｃ（図２参照）にリモコン信号を送信可能な姿勢となる。
上記以外の構成は、第１実施形態と同一である。
【００９５】
このプロジェクター１を単体で利用する際には、ユーザーは、リモコン６０をプロジェクター１の本体から離脱させ、リモコン６０の各種操作キーを操作することによってプロジェクター１の本体を遠隔操作することができる。一方、このプロジェクター１を用いて画像表示システム１００（図７参照）を構成する場合には、ユーザーは、リモコン６０をプロジェクター１の本体に装着させる。これにより、第１実施形態における送信部２８Ｔの代わりに、リモコン６０の送信部５３からリモコン信号が送信される。なお、この態様では、プロジェクター１の本体にリモコン６０を装着しておく必要があるため、画像表示システム１００を遠隔操作するためには、リモコン４０又はリモコン６０を別途用意する必要がある。
【００９６】
以上説明したように、本実施形態のプロジェクター１によれば、第１及び第２実施形態の効果に加えて、以下の効果を得ることができる。
【００９７】
本実施形態のプロジェクター１によれば、プロジェクター１の本体に対して着脱可能に構成されたリモコン６０を備えており、このリモコン６０は、プロジェクター１の本体に装着された状態では、他のプロジェクター１にリモコン信号を送信するための送信部として機能する。つまり、プロジェクター１に送信部２８Ｔを新たに設ける必要がなくなるため、プロジェクター１の構成を簡略化することが可能となる。
【００９８】
（変形例）
なお、上記実施形態は、以下のように変更してもよい。
【００９９】
上記実施形態では、複数のプロジェクター１を左右方向に並べて画像表示システム１００を構成しているが、プロジェクター１の配列は左右方向に限定されない。例えば、上下方向（図１６参照）であってもよいし、マトリクス状（図１７参照）に配列してもよい。
【０１００】
上記実施形態では、通信範囲Ｃが投写範囲（画像Ｐ）よりも上下左右に広くなっているが、すべての方向に広い必要はなく、プロジェクター１を左右方向に配置する場合には、左右方向に広くするだけでもよいし、プロジェクター１を上下方向に配置する場合には、上下方向に広くするだけでもよい。
【０１０１】
上記第１及び第２実施形態では、送信部２８Ｔから、画像の投写方向と同一方向である前方に向けてリモコン信号を送信する態様を示したが、リモコン信号の送信方向は、前方に限定されない。例えば、図１８に示すように、筐体２の左右双方の側面にそれぞれリモコン通信部２８（受信部２８Ｒ及び送信部２８Ｔ）を備えて、左右方向にリモコン信号を送信するようにすれば、左右に隣り合う他のプロジェクター１との間で、リモコン信号の送受信を行うことが可能となる。同様に、筐体２の上面及び底面にリモコン通信部２８（受信部２８Ｒ及び送信部２８Ｔ）を備えて、上下方向にリモコン信号を送信するようにすれば、上下に隣り合う他のプロジェクター１との間で、リモコン信号の送受信を行うことが可能となる。
【０１０２】
上記実施形態では、電源状態を切り替える操作、即ち電源をオンにしたりオフにしたりするための操作がなされた場合について説明したが、電源状態を切り替える操作以外の操作についても適用可能である。例えば、周辺環境や画像の内容（コンテンツ）等に応じて画質の調整方法（画質調整モード）をユーザーが指定できる画像表示装置である場合には、ユーザーによって画質調整モードを指定する操作がなされた際に、画質調整モードを指定するためのリモコン信号を送信部２８Ｔ（又はリモコン６０）から送信するようにしてもよい。この例では、画像表示システム１００を構成するすべてのプロジェクター１の画質調整モードを揃えることが容易になる。
【０１０３】
上記実施形態では、光変調装置として３つの液晶ライトバルブ１２Ｒ，１２Ｇ，１２Ｂを用いた３板式のプロジェクター１について説明したが、これに限定されない。例えば、各画素の中にそれぞれＲ光、Ｇ光、Ｂ光を透過可能なサブ画素を含んだ１つの液晶ライトバルブによって画像を形成する態様とすることも可能である。
【０１０４】
上記実施形態では、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源から射出された光を変調する微小ミラーアレイデバイス等を用いることもできる。
【０１０５】
上記実施形態では、光源装置１１は、放電型の光源ランプ１１ａを備えて構成されているが、ＬＥＤ（Light Emitting Diode：発光ダイオード）光源等の固体光源や、その他の光源を用いることもできる。
【０１０６】
上記実施形態では、画像表示装置の一例として、プロジェクター１について説明しているが、画像表示装置はプロジェクター１に限定されない。例えば、透過型のスクリーンを一体的に備えたリアプロジェクター、液晶ディスプレイ、プラズマディスプレイ、ＳＥＤ（Surface-conduction Electron-emitter Display）、有機ＥＬ（Electro Luminescence）ディスプレイ等、他の画像表示装置に適用することも可能である。
【０１０７】
上記実施形態では、リモコン信号が赤外線の点滅信号である場合について説明しているが、リモコン信号は、無線信号であればよく、赤外線信号に限定されない。例えば、Ｂｌｕｅｔｏｏｔｈ（登録商標）等のように、電波を利用した態様であってもよい。
【符号の説明】
【０１０８】
１，１ａ，１ｂ，１ｃ…プロジェクター、２…筐体、２ｆ…前面、２ｔ…上面、３…開口部、１０…画像投写部、１１…光源装置、１１ａ…光源ランプ、１１ｂ…リフレクター、１２Ｒ，１２Ｇ，１２Ｂ…液晶ライトバルブ、１３…投写レンズ、１４…ライトバルブ駆動部、２０…制御部、２１…記憶部、２２…画像情報入力部、２３…画像処理部、２４…ＯＳＤ処理部、２５…電源回路、２６…光源制御部、２７…操作パネル、２７ａ…電源オンキー、２７ｂ…電源オフキー、２７ｃ…メニューキー、２７ｄ…方向キー、２７ｅ…決定キー、２７ｆ…取消キー、２７ｇ…電源キー、２８…リモコン通信部、２８Ｒ…受信部、２８Ｔ…送信部、２９…バス、３０…ＵＳＢ通信部、４０…リモコン、４０ａ…電源オンキー、４０ｂ…電源オフキー、４０ｇ…電源キー、４１…筐体、５０…制御部、５１…記憶部、５２…入力検出部、５３…送信部、５４…ＵＳＢ通信部、６０…リモコン、１００…画像表示システム、Ｃ，Ｃａ，Ｃｂ，Ｃｃ…通信範囲、Ｍｃ…メッセージ画像、Ｐ，Ｐａ，Ｐｂ，Ｐｃ…画像、Ｓ…投写面。
【図１】
2011133602.tif 000003
【図２】
2011133602.tif 000004
【図３】
2011133602.tif 000005
【図４】
2011133602.tif 000006
【図５】
2011133602.tif 000007
【図６】
2011133602.tif 000008
【図７】
2011133602.tif 000009
【図８】
2011133602.tif 000010
【図９】
2011133602.tif 000011
【図１０】
2011133602.tif 000012
【図１１】
2011133602.tif 000013
【図１２】
2011133602.tif 000014
【図１３】
2011133602.tif 000015
【図１４】
2011133602.tif 000016
【図１５】
2011133602.tif 000017
【図１６】
2011133602.tif 000018
【図１７】
2011133602.tif 000019
【図１８】
2011133602.tif 000020